(57)【要約】【課題】貫通端子部の構造を簡素化して小型化することが可能な電動圧縮機を提供すること。【解決手段】貫通ピン部材１６１と略円筒状の圧入圧縮リング１６３との間に、インサート成形により樹脂材からなる絶縁筒部材１６２を介設した簡単な構成の貫通端子部１６を、ハウジング１の貫通孔１ｈ内に圧入することで、圧入圧縮リング１６３の外周面を全周にわたってハウジング１の貫通孔１ｈの内面に圧接して圧入圧縮リング１６３とハウジング１との間を気密シールするとともに、圧入圧縮リング１６３を圧入に伴い縮径させて絶縁筒部材１６２を径方向に圧縮し、貫通ピン部材１６１と圧入圧縮リング１６３との間を絶縁しつつ気密シールする。【選択図】図４
2012112354.tif 000002
【特許請求の範囲】
【請求項１】
冷媒を吸入圧縮する圧縮機構と、
前記圧縮機構を駆動する電動式のモータと、
前記圧縮機構および前記モータを収納するとともに、内部を前記圧縮機構が吸入する吸入冷媒が流通するハウジングと、
前記ハウジング外に設けられ、前記モータを駆動する駆動回路部と、
前記ハウジングに形成された貫通孔内に設けられ、前記モータと前記駆動回路部とを電気的に接続する貫通端子部と、を備え、
前記貫通端子部は、
一端部に前記モータから延びるリード線が接続され、他端部に前記駆動回路部が電気的に接続された金属材からなるピン部材と、
前記ピン部材の外周を取り囲むように配設された樹脂材からなる筒状の絶縁部材と、
前記絶縁部材の外周を取り囲むように配設された金属材からなる筒状の支持部材と、を具備し、
前記貫通孔内に圧入された前記支持部材の外周面が全周にわたって前記ハウジングに圧接しており、
前記支持部材が前記圧入に伴い内方へ向かって変形して内径が縮小し、前記絶縁部材が前記支持部材と前記ピン部材との間で径方向に圧縮されて、前記支持部材の内周面が全周にわたって前記絶縁部材に圧接しているとともに、前記絶縁部材の内周面が全周にわたって前記ピン部材に圧接していることを特徴とする電動圧縮機。
【請求項２】
前記貫通端子部は、前記ピン部材と前記支持部材との間に、前記絶縁部材をなす前記樹脂材がインサート成形により充填されていることを特徴とする請求項１に記載の電動圧縮機。
【請求項３】
前記ピン部材は、銅材もしくは銅合金材からなることを特徴とする請求項１または請求項２に記載の電動圧縮機。
【請求項４】
前記支持部材は、内周側に内方に向かって突出した環状突出部を有し、
前記環状突出部が前記絶縁部材を内方に向かって押圧していることを特徴とする請求項１ないし請求項３のいずれか1つに記載の電動圧縮機。
【請求項５】
前記ピン部材は、外周面に環状に形成された環状凹部もしくは環状凸部を有することを特徴とする請求項１ないし請求項４のいずれか１つに記載の電動圧縮機。
【請求項６】
前記モータは、ステータコイルが回巻されたステータと、前記ステータの内側で回動するロータとを備え、前記ステータコイルから延びる前記リード線が前記一端部に接続しており、
前記ハウジングのうち、前記モータの軸線方向において前記圧縮機構とは反対側に位置する壁面部に、前記ロータの回転軸を支持するため軸受部が設けられており、
前記貫通孔は、前記壁面部のうち、前記軸線方向から見たときに、前記軸受部の外周面と前記ステータの内周面との間の領域に形成されていることを特徴とする請求項１ないし請求項５のいずれか１つに記載の電動圧縮機。
【請求項７】
前記ピン部材は、前記貫通孔の貫通方向に延びる貫通部と、前記貫通部の前記ハウジングの内方側の端部から前記貫通方向に交差する方向に延びる延在部とを有して、前記延在部の先端部が前記一端部となっていることを特徴とする請求項６に記載の電動圧縮機。
【請求項８】
前記延在部は、前記貫通方向に直交する方向に延びていることを特徴とする請求項７に記載の電動圧縮機。
【請求項９】
前記延在部は、前記貫通部の前記ハウジングの内方側の端部から、前記モータの径外方向に向かって延びていることを特徴とする請求項７または請求項８に記載の電動圧縮機。
【発明の詳細な説明】
【技術分野】
【０００１】
本発明は、冷媒を圧縮する圧縮機構、圧縮機構を駆動する電動モータ、および電動モータを駆動するインバータ回路等のモータ駆動回路を有し、電動モータとモータ駆動回路とがハウジングを貫通する貫通端子で接続された電動圧縮機に関する。
【背景技術】
【０００２】
従来から、冷媒を吸入圧縮する圧縮機構と、圧縮機構を駆動する電動式のモータと、モータを駆動する駆動回路部と、を備え、モータを圧縮機構とともにハウジング内に収容し、駆動回路部をハウジング外に載置して、モータと駆動回路部とをハウジングを貫通する貫通端子部により接続した電動圧縮機がある。そして、貫通端子部をハウジングに装着する際の支持部材となる金属製の端子本体と、導電経路となる金属端子と、の間をガラスで封止して、端子本体と金属端子との間の絶縁性および気密性を確保する電動圧縮機が知られている（例えば、特許文献１参照。）。
【先行技術文献】
【特許文献】
【０００３】
【特許文献１】特開２０１０−６５６２５号公報
【発明の概要】
【発明が解決しようとする課題】
【０００４】
しかしながら、上記従来技術の電動圧縮機では、貫通端子部の封止ガラスに大きな応力が加わり割れることを防止するように、端子本体とハウジングとの間にＯリング等からなるシール部材を配設して、ハウジングに装着した貫通端子部の端子本体をサークリップ等で固定し、ハウジングと貫通端子部との間の気密シール性を確保している。このため、貫通端子部の構造が複雑で体格が大きくなり易いという問題がある。
【０００５】
また、金属端子の構成材料としてはガラスに近似した線膨張係数を有する材料を設定するため、電気導電率が高い材料を選択することが困難であり、金属端子の径を比較的大きくして抵抗を低減する必要がある。これも貫通端子部の体格を大きくする要因となっている。
【０００６】
本発明は、上記点に鑑みてなされたものであり、貫通端子部の構造を簡素化して貫通端子部を小型化することが可能な電動圧縮機を提供することを目的とする。
【課題を解決するための手段】
【０００７】
上記目的を達成するため、請求項１に記載の発明では、
冷媒を吸入圧縮する圧縮機構と、
圧縮機構を駆動する電動式のモータと、
圧縮機構およびモータを収納するとともに、内部を圧縮機構が吸入する吸入冷媒が流通するハウジングと、
ハウジング外に設けられ、モータを駆動する駆動回路部と、
ハウジングに形成された貫通孔内に設けられ、モータと駆動回路部とを電気的に接続する貫通端子部と、を備え、
貫通端子部は、
一端部にモータから延びるリード線が接続され、他端部に駆動回路部が電気的に接続された金属材からなるピン部材と、
ピン部材の外周を取り囲むように配設された樹脂材からなる筒状の絶縁部材と、
絶縁部材の外周を取り囲むように配設された金属材からなる筒状の支持部材と、を具備し、
貫通孔内に圧入された支持部材の外周面が全周にわたってハウジングに圧接しており、
支持部材が圧入に伴い内方へ向かって変形して内径が縮小し、絶縁部材が支持部材とピン部材との間で径方向に圧縮されて、支持部材の内周面が全周にわたって絶縁部材に圧接しているとともに、絶縁部材の内周面が全周にわたってピン部材に圧接していることを特徴としている。
【０００８】
これによると、ピン部材と筒状の支持部材との間に樹脂材からなる筒状の絶縁部材を介設した簡単な構成の貫通端子部をハウジングの貫通孔内に圧入することで、支持部材の外周面を全周にわたってハウジングに圧接して支持部材とハウジングとの間を気密シールするとともに、筒状の支持部材を圧入に伴い縮径させて絶縁部材を径方向に圧縮し、支持部材とピン部材との間を絶縁しつつ気密シールしている。このように、比較的簡単な構造の貫通端子部により貫通端子部を小型化することができる。
【０００９】
なお、ここで用いている「圧接」とは、金属加工における加圧溶接のことではなく、界面において比較的高い面圧が発生するように部材同士が接触もしくは接合することである。これは、以下の説明においても同様である。
【００１０】
また、請求項２に記載の発明では、貫通端子部は、ピン部材と支持部材との間に、絶縁部材をなす樹脂材がインサート成形により充填されていることを特徴としている。これによると、ピン部材と筒状の支持部材との間に樹脂材からなる筒状の絶縁部材を介設した簡単な構成の貫通端子部を、インサート成形により容易に形成することができる。
【００１１】
また、請求項３に記載の発明では、ピン部材は、銅材もしくは銅合金材からなることを特徴としている。支持部材とピン部材との間を樹脂材からなる絶縁部材で絶縁しつつ気密シールしており、ガラス材を封止に用いる必要がないので、ピン部材に、電気導電率が高い銅材もしくは銅合金材を用いることが可能である。
【００１２】
また、請求項４に記載の発明では、支持部材は、内周側に内方に向かって突出した環状突出部を有し、環状突出部が絶縁部材を内方に向かって押圧していることを特徴としている。これによると、支持部材の環状突出部と絶縁部材との間に比較的高い面圧を環状に発生させて、支持部材と絶縁部材との間を確実に気密シールすることができる。
【００１３】
また、請求項５に記載の発明では、ピン部材は、外周面に環状に形成された環状凹部もしくは環状凸部を有することを特徴としている。これによると、ピン部材の環状凹部の縁部と絶縁部材との間、もしくは、ピン部材の環状凸部と絶縁部材との間に、比較的高い面圧を環状に発生させて、ピン部材と絶縁部材との間を確実に気密シールすることができる。
【００１４】
また、請求項６に記載の発明では、
モータは、ステータコイルが回巻されたステータと、ステータの内側で回動するロータとを備え、ステータコイルから延びるリード線がピン部材の一端部に接続しており、
ハウジングのうち、モータの軸線方向において圧縮機構とは反対側に位置する壁面部に、ロータの回転軸を支持するため軸受部が設けられており、
貫通孔は、壁面部のうち、モータの軸線方向から見たときに、軸受部の外周面とステータの内周面との間の領域に形成されていることを特徴としている。
【００１５】
これによると、ハウジング内にステータを配設した後、ロータを配設する前に、ステータコイルから延びるリード線に接続したピン部材を有する貫通端子部を、ハウジング内方側から貫通孔内に容易に圧入することができる。
【００１６】
また、請求項７に記載の発明では、ピン部材は、貫通孔の貫通方向に延びる貫通部と、貫通部のハウジングの内方側の端部から貫通方向に交差する方向に延びる延在部とを有して、延在部の先端部が、リード線が接続する一端部となっていることを特徴としている。これによると、ピン部材のハウジング内に配設される部位を曲折形状とすることで、ハウジング内におけるピン部材のモータ軸線方向の寸法を比較的小さくすることができる。したがって、モータ軸線方向においてハウジングを小型化することが可能である。
【００１７】
また、請求項８に記載の発明では、ピン部材の延在部は、貫通孔の貫通方向に直交する方向に延びていることを特徴としている。これによると、ピン部材のハウジング内に配設される部位を略Ｌ字形状とすることで、ハウジング内におけるピン部材のモータ軸線方向の寸法を一層小さくすることができる。したがって、モータ軸線方向においてハウジングをより小型化することが可能である。
【００１８】
また、請求項９に記載の発明では、ピン部材の延在部は、貫通部のハウジングの内方側の端部から、モータの径外方向に向かって延びていることを特徴としている。これによると、リード線が接続する延在部の先端部を、ステータコイルに近接させることができる。したがって、ステータコイルから延びるリード線を比較的短くすることが可能である。
【図面の簡単な説明】
【００１９】
【図１】本発明を適用した一実施形態における電動圧縮機の外形を示す正面図である。
【図２】電動圧縮機の内部構造を示す断面図である。
【図３】図２中ＩＩＩ−ＩＩＩ線断面図である。
【図４】貫通端子部１６の概略構造を示す断面図である。
【図５】貫通端子部１６の製造方法およびハウジング１への装着方法を説明する工程別断面図の一部である。
【図６】貫通端子部１６の製造方法およびハウジング１への装着方法を説明する工程別断面図の一部である。
【図７】貫通端子部１６の製造方法およびハウジング１への装着方法を説明する工程別断面図の一部である。
【図８】貫通端子部１６の製造方法およびハウジング１への装着方法を説明する工程別断面図の一部である。
【図９】電動圧縮機１００の製造方法を説明する工程別断面図の一部である。
【図１０】電動圧縮機１００の製造方法を説明する工程別断面図の一部である。
【図１１】電動圧縮機１００の製造方法を説明する工程別断面図の一部である。
【図１２】電動圧縮機１００の製造方法を説明する工程別断面図の一部である。
【図１３】電動圧縮機１００の製造方法を説明する工程別断面図の一部である。
【発明を実施するための形態】
【００２０】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００２１】
図１は、本発明を適用した一実施形態における電動圧縮機の外形を示す正面図である。図２は、電動圧縮機の内部構造を示す縦断面図であり、図３は、図２中ＩＩＩ−ＩＩＩ線断面図である。
【００２２】
図１に示す電動圧縮機１００は、例えば、自動車のエンジンルーム内に配置されている。電動圧縮機１００は、凝縮器、減圧器、および蒸発器とともに、車両空調装置用の冷凍サイクル装置を構成している。電動圧縮機１００はハウジング１を備えている。
【００２３】
ハウジング１は、伝熱性の高いアルミニウム材もしくはアルミニウム合金材等の金属からなるもので、略円筒状に形成されている。ハウジング１には、冷媒吸入口１ａおよび冷媒吐出口１ｂが設けられている。
【００２４】
冷媒吸入口１ａは、ハウジング１において軸線方向一方側（図示上方側）に配置されている。冷媒吸入口１ａには、蒸発器の冷媒出口からの冷媒が流入する。冷媒吐出口１ｂはハウジング１において軸線方向他方側（図示下方側）に配置されている。冷媒吐出口１ｂは、凝縮器の冷媒入口に向けて冷媒を吐出する。
【００２５】
ハウジング１の図示左側には脚部２が設けられている。ハウジング１の図示右側には脚部３が設けられている。脚部２、３には、それぞれ、ボルト５を貫通させる貫通孔が設けられている。各ボルト５は、脚部２、３の貫通孔に貫通した状態で、ハウジング１を例えばエンジンの側壁に固定する。
【００２６】
図２に示すように、電動圧縮機１００は、モータ部１０（モータに相当）、インバータ回路２０（駆動回路部に相当）、圧縮機構３０、およびインバータカバー４０（カバー部材に相当）等から構成されている。
【００２７】
モータ部１０は、三相同期モータであって、回転軸１２、ロータ１３、ステータコア１４、およびステータコイル１５から構成されている。
【００２８】
回転軸１２は、ハウジング１内に配置されている。回転軸１２はその軸線方向がハウジング１の軸線方向に一致している。回転軸１２は、軸受け１２ａ、１２ｂにより回転自在に支持されている。回転軸１２は、ロータ１３から受ける回転駆動力を圧縮機構３０に伝える。軸受け１２ａ、１２ｂは、ハウジング１により支持されている。
【００２９】
ハウジング１の天井部１ｄ（すなわち、モータ部１０の回転軸１２の軸線方向において圧縮機構３０とは反対側の壁面部）には、その下面（ハウジング１の内面）から下方に向かって突出する円筒壁部１ｅが設けられている。図示上方側の軸受け１２ａは、円筒壁部１ｅ内に嵌入されてハウジング１に支持されている。円筒壁部１ｅと軸受け１２ａとからなる構成が、回転軸１２を回転自在に支持する軸受部に相当する。
【００３０】
ロータ１３は、例えば永久磁石が埋め込まれたもので、筒状に形成されているものであって、回転軸１２に対して固定されている。ロータ１３は、ステータコア１４から発生される回転磁界に基づいて、回転軸１２とともに回転する。
【００３１】
ステータコア１４は、ハウジング１内においてロータ１３（回転軸１２）に対して径方向外周側に配置されている。ステータコア１４は、その軸線方向が回転軸１２の軸線方向に一致する筒状に形成されている。ステータコア１４は、ロータ１３との間に隙間を形成している。隙間は、回転軸１２の軸線方向に並行に冷媒を流す冷媒流路１７を構成している。
【００３２】
ステータコア１４は、磁性体からなるもので、ハウジング１の内周面から支持されている。ステータコイル１５は、ステータコア１４に対して回巻されている。ステータコイル１５は後述するように回転磁界を発生する。ステータコア１４とステータコイル１５とで、モータ部１０のステータを構成している。
【００３３】
圧縮機構３０は、モータ部１０に対して軸線方向他方側に配置されている。圧縮機構３０は、例えば、固定スクロールと可動スクロールとから構成されるスクロール型コンプレッサであって、モータ部１０の回転軸１２からの回転駆動力によって可動スクロールを旋回させて冷媒を吸入、圧縮、吐出する。
【００３４】
インバータ回路２０は、ハウジング１の取付面１ｃに装着されている。取付面１ｃは、ハウジング１の天井部１ｄの外面に形成されている。本実施形態では、取付面１ｃは、ハウジング１の上側に位置する。
【００３５】
インバータ回路２０は、半導体素子等からなり、モータ部１０を駆動する三相電圧を発生する駆動回路を構成している。インバータカバー４０は、インバータ回路２０を覆うように形成されている。インバータカバー４０は、ハウジング１にネジ（図示省略）により締結されている。
【００３６】
図示を省略しているが、ステータコア１４の外周壁には、複数の凹部が設けられている。それぞれの凹部は、回転軸１２の径方向中心側に凹んで、かつステータコア１４に対して軸線方向に並行に延びるように形成されている。複数の凹部は、回転軸１２を中心とする円周方向に同一間隔でずれるように配置されている。各凹部は、ハウジング１の内周面との間に冷媒流路を構成する。
【００３７】
上述した構成の電動圧縮機１００の作動について簡単に説明する。まず、インバータ回路２０が電源投入されて、モータ部１０のステータコイル１５に対して三相の駆動電流を流す。これに伴って、ステータコア１４から回転磁界が発生するため、ロータ１３に対して回転力が発生する。すると、ロータ１３が回転軸１２とともに回転する。したがって、圧縮機構３０は、回転軸１２からの回転駆動力によって旋回して冷媒を吸入する。
【００３８】
このとき、蒸発器側からの吸入冷媒は、ハウジング１の冷媒吸入口１ａ側内に流入する。すると、この吸入冷媒は、冷媒流路１７、および前述の凹部により形成された冷媒流路を通過して圧縮機構３０側に流れる。吸入冷媒は、圧縮機構３０で圧縮され、冷媒吐出口１ｂから凝縮器側に吐出される。
【００３９】
一方、インバータ回路２０は、その作動に伴って熱を発生する。インバータ回路２０が発した熱が、ハウジング１の天井部１ｄを通して、冷媒吸入口１ａからハウジング１内に流入した冷媒に伝わる。これにより、吸入冷媒によってインバータ回路２０が冷却される。
【００４０】
このとき、ステータコイル１５は、三相の駆動電流の通電に伴って熱を発生するものの、ステータコイル１５から発生した熱は、ステータコア１４を通して冷媒流路１７、および前述の凹部により形成された冷媒流路内の冷媒に伝わる。これにより、ステータコア１４、およびステータコイル１５を吸入冷媒により冷却することができる。
【００４１】
次に、モータを駆動する駆動回路部の構成について説明する。
【００４２】
図２に示すように、インバータカバー４０は、インバータ回路２０を覆うようにハウジング１に取り付けられており、インバータ回路２０は、ハウジング１の取付面１ｃに複数のネジにより取り付けられている。換言すれば、インバータ回路２０は、ハウジング１の天井面１ｄを底面部とし、インバータカバー４０が側面部および天井面部となるケーシング内に収容されている。インバータカバー４０とハウジング１との間にはシール部材４１が配設されており、インバータ回路２０の収容空間と外部空間とを遮断している。
【００４３】
インバータ回路２０は、第１基板２１と第２基板２２とを有し、第１基板２１と第２基板２２とは電気的接続部で接続されている。第１基板２１は、パワー素子等を内蔵している素子内蔵回路基板である。
【００４４】
一方、第２基板２２は、絶縁基材内に素子を内蔵していない非素子内蔵回路基板であり、例えばガラスエポキシ基板等の所謂汎用プリント基板からなり、絶縁基材の表面に各種回路素子等が実装されている。また、第２基板２２には、外部との接続端子を有するコネクタ２２１や電源フィルタ等の大型部品が実装されている。
【００４５】
第１基板２１と第２基板２２とは積層配置されており、第１基板２１が第２基板２２よりもハウジング１側に配設されている。そして、第２基板２２がネジでハウジング１に固定され、インバータ回路２０はハウジング１に対して位置決め固定されている。
【００４６】
第１基板２１には、両面のうち一方の面（図示上面、反ハウジング側の面）の外周縁部に、導体パターンの一部をなし例えばランドとして形成された電極が設けられている。この電極が第２基板２２の図示下面（ハウジング側の面）に例えばランドとして形成された電極に電気的に接続されて、第１基板２１と第２基板２２との電気的接続部を形成している。
【００４７】
電気的接続部の周縁部における第１基板２１と前記第２基板２２との間には（すなわち、第１基板２１と前記第２基板２２との間の電気的接続部を除く部分には）接着剤であるアンダフィルが介設されており、第１基板２１と前記第２基板２２とを接着して、電気的接続部の周囲を補強している。
【００４８】
そして、第１基板２１の両面のうち他方の面（図示下面、ハウジング側の面）が、ハウジング１の外面のうち内部を吸入冷媒が流通する部位に形成された取付面１ｃに密着している。
【００４９】
具体的には、第１基板２１の下面とハウジング１の取付面１ｃとの間には、全域に亘って絶縁放熱シート２４（絶縁シート部材）が介設され、絶縁放熱シート２４を介して第１基板２１とハウジング１とが密着している。絶縁放熱シート２４は、例えば樹脂材（例えばシリコーン樹脂）、ゴム材（例えばシリコーンゴム）、無機材（例えばマイカ）等のいずれかからなる。絶縁放熱シート２４には、例えばセラミックスフィラーを充填したシリコーン材を適用して好適である。
【００５０】
第２基板２２には、第１基板２１が積層配置された領域（基板積層方向から見たときに第２基板２２の外周より内側で第１基板２１が配設された領域）のうち、第１基板２１と第２基板２２との電気的接続部を除く領域（具体的には、電気的接続部よりも内側の領域）に、例えば矩形状の開口２２ａが形成されている。本例では、第２基板２２の開口２２ａに沿った縁部のハウジング側の面が第１基板２１との電気的接続部となっている。
【００５１】
したがって、第１基板２１の上面は、電気的接続部よりも内側の領域が第２基板２２の開口２２ａ内に露出しており、この開口内露出領域には、第１基板２２に回路を構成するスナバ部品等の回路素子が実装されている。
【００５２】
第１基板２１は、熱可塑性樹脂からなる絶縁基材と、絶縁基材の内部に配置されたパワー素子と、絶縁基材の内部や表面に配置された他の回路素子（例えば、抵抗等の受動素子）等の電子部品と、絶縁基材の内部や表面に形成され、パワー素子や他の回路素子と電気的に接続する配線部としての導体パターンおよび層間接続ビアとを備えている。
【００５３】
換言すれば、第１基板２１は、熱可塑性樹脂からなる絶縁基材の表面および内部に導体パターンが多層に配置され、異なる層の導体パターンの一部が層間接続部である層間接続ビア（例えば、導電性ペーストなどを採用することができる）によって電気的に層間接続されるとともに、絶縁基材中に導体パターン及び層間接続ビアと電気的に接続されたパワー素子等の電子部品が配置された多層基板である。
【００５４】
第１基板２１の絶縁基材は、例えば、熱可塑性の樹脂フィルム（基材フィルム）を複数枚積層して、相互に接着（溶着）して構成されている。なお、樹脂フィルムに用いる熱可塑性樹脂としては、例えば、ポリエーテルエーテルケトン（ＰＥＥＫ）、ポリエーテルイミド（ＰＥＩ）、及びポリエーテルエーテルケトンとポリエーテルイミドの混合材、或いは液晶ポリマーなどを採用することができる。
【００５５】
この第１基板２１は、以下のようにして製造することができる。上述のような複数枚の熱可塑性の樹脂フィルムを、内部にパワー素子等を配置しつつ積層する。そして、この積層体を加熱しながら、積層方向における両側から加圧する。例えば、２５０〜３５０℃の雰囲気温度下で１〜１０ＭＰａの圧力で１０〜２０分間加圧する。このようにして、一括で熱圧着接合して第１基板２１を製造することができる。
【００５６】
なお、第１基板２１の絶縁基材として、熱可塑性の樹脂フィルムを複数枚用いる例を説明したが、絶縁基材は、少なくとも熱可塑性樹脂を含むものであればよく、例えば、熱可塑性樹脂を含む基材フィルムと、熱硬化性樹脂を含む基材フィルムとを相互に（例えば、交互に、あるいは、熱硬化性樹脂を含む基材フィルムが連続して積層されないように）積層してなるものを採用するようにしてもよい。この例では、熱可塑性樹脂を含む基材フィルムが接着剤層として機能する。
【００５７】
また、熱可塑性樹脂は、絶縁基材に内蔵するパワー素子等の内蔵素子の周囲に配設することが好ましい。内蔵素子に接する部分の少なくとも一部に熱可塑性樹脂を配置することが好ましく、内蔵素子を取り囲む全域（全面）に亘って熱可塑性樹脂を配置することがさらに好ましい。内蔵素子に接する部分に熱可塑性樹脂を配置すると、積層した複数枚の樹脂フィルムを加熱プレスして絶縁基材を形成する際に、絶縁基材中にパワー素子等の内蔵素子を封止する（内蔵素子の外面の電気接続部を除く全域を絶縁基材に密着させる）ことが容易である。
【００５８】
図２に示すように、ハウジング１の取付面１ｃが形成されている部分には、モータ部１０のステータコイル１５から延びハウジング１の天井部１ｄを貫通する貫通端子部１６の貫通ピン部材１６１（貫通棒状導電部材）が突出している。貫通端子部１６は、ハウジング１の天井部１ｄに形成された貫通孔１ｈ内に配設されている。貫通ピン部材１６１のハウジング１外方に突出した部分は、第２基板２２の導体パターンと電気的に接続している。
【００５９】
貫通ピン部材１６１は、第２基板２２の導体パターン等に直接接続するものであってもよいし、第２基板２２に実装されたコネクタ部品等に接続するものであってもよい。また、貫通端子部１６の貫通ピン部材１６１は、第２基板２２ではなく第１基板２１に接続するものであってもよい。インバータ回路２０と貫通ピン部材１６１との接続部分が、インバータ回路２０からモータ部１０へ供給電力を出力する出力部となっている。
【００６０】
図２では図示を省略しているが、図３に示すように、ハウジング１の天井部１ｄを貫通する貫通端子部１６は複数（本例では３つ）設けられている。ハウジング１の天井面１ｄには、貫通端子部１６を挿設する貫通孔１ｈが、貫通端子部１６の数に対応して複数（本例では３つ）形成されている。
【００６１】
複数の貫通孔１ｈは、いずれも、円筒壁部１ｅ（図２参照）の外周面１ｆとステータコア１４（図２参照）の内周面１４ａとの間に形成されている。すなわち、ハウジング１やモータ部１０の軸線方向から見たときに、複数の貫通孔１ｈは、いずれも、円筒壁部１ｅと軸受け１２ａとからなる軸受部の外周面１ｆと、ステータコア１４とステータコイル１５とからなるステータの内周面１４ａと、の間の領域に形成されている。
【００６２】
図３から明らかなように、本例では、複数の貫通孔１ｈは、上記した外周面１ｆや内周面１４ａと同心の円周上に等間隔に形成されている。なお、図３では、インバータ回路２０をなす複数の基板や回路部品等の詳細な構成の図示を省略している。
【００６３】
ここで、貫通端子部１６の構成について説明する。図４は、貫通端子部１６の概略構造を示す断面図である。
【００６４】
図４に示すように、貫通端子部１６は、貫通ピン部材１６１（ピン部材に相当）、絶縁筒部材１６２（絶縁部材に相当）、圧入圧縮リング１６３（支持部材に相当）、および、絶縁ブーツ１６４により構成され、ハウジング１の貫通孔１ｈ内に配設されている。
【００６５】
貫通ピン部材１６１は、例えば銅材もしくは銅合金材等の金属材からなる。貫通ピン部材１６１は、貫通端子部１６が貫通孔１ｈ内に配設されたときに貫通孔１ｈの貫通方向に沿って延びる貫通部１６１１と、貫通部１６１１のハウジング１内方側の端部（図示下方端部）から貫通部１６１１の軸方向に対して直交する方向に延びる延在部１６１２とが、一体的に構成されている。
【００６６】
貫通部１６１１および延在部１６１２は、いずれも円柱状をなしている。貫通部１６１１には、軸線方向におけるほぼ中央部に（貫通孔１ｈ内に位置する部分に）、外周面から凹んだ環状の環状溝１６１ａ（環状凹部に相当）が形成されている。環状溝１６１ａは、軸線方向において間隔をあけて複数（本例では４つ）並設されている。
【００６７】
貫通ピン部材１６１の一端部（延在部１６１２の図示左方の先端部、ハウジング１内側の端部）には、端部から図示右方に向かって延在部１６１２の軸線方向に凹む横断面が円形の凹部１６１ｂ（挿設凹部に相当）が形成されている。凹部１６１ｂ内には、ステータコイル１５から延びるリード線１５１の端部が絶縁被膜を除去されて挿設され、延在部１６１２の外周側からのかしめ加工によりかしめ固定されている。リード線１５１は、ステータコイル１５を形成する被覆導線とは別体で、被覆導線に接続する線材であってもよいし、ステータコイル１５を形成する被覆導線の一部をコイル部から引き出してリード線としたものであってもよい。
【００６８】
なお、貫通ピン部材１６１の他端部（貫通部１６１１の図示上方端部、ハウジング１外側の端部）は、前述したように、インバータ回路２０の第２基板２２に電気的に接続している。
【００６９】
貫通ピン部材１６１の貫通部１６１１の外周には、略円筒形状の絶縁筒部材１６２が貫通部１６１１を取り囲むように配設されている。絶縁筒部材１６２は、樹脂材（例えば、ＰＥＥＫ（ポリエーテルエーテルケトン）樹脂、ＰＰＳ（ポリフェニレンサルファイド）樹脂、ＰＡＲ（ポリアリレート）樹脂等のエンジニアリングプラスチック材）からなり、貫通ピン部材１６１と熱膨張率が近似したものとしている。
【００７０】
絶縁筒部材１６２は、軸線方向において内径がほぼ均一に形成されている。絶縁筒部材１６２は、外径が比較的大きい大外径部１６２ａと、外径が大外径部１６２ａよりも小さい小外径部１６２ｃとが一体成形されている。前述した貫通ピン部材１６１の貫通部１６１１の外周面は絶縁筒部材１６２の内周面に圧接している。
【００７１】
貫通部１６１１の環状溝１６１ａの形成部分は、絶縁筒部材１６２の大外径部１６２ａの内側にあって、環状溝１６１ａの内部にも絶縁筒部材１６２が進入している。環状溝１６１ａと貫通部１６１１の円筒状の外周面との角部において絶縁筒部材１６２が貫通ピン部材１６１に強く押し当てられ、高い面圧を発生している。
【００７２】
絶縁筒部材１６２の外周には、略円筒形状の圧入圧縮リング１６３が絶縁筒部材１６２を取り囲むように配設されている。圧入圧縮リング１６３は、金属材（例えば、真鍮等の銅合金材）からなり、軸線方向において外径がほぼ均一に形成されている。圧入圧縮リング１６３は、円筒状の円筒部１６３ａと、円筒部１６３ａの上下両端近傍において内方に向かって突出した環状突出部１６３ｂ、１６３ｃとを備えている。
【００７３】
圧入圧縮リング１６３の内周面は、絶縁筒部材１６２の大外径部１６２ａの外周面に圧接している。環状突出部１６３ｂ、１６３ｃは、絶縁筒部材１６２を内方に向かって強く押圧して高い面圧を発生している。また、環状突出部１６３ｂ、１６３ｃは、絶縁筒部材１６２を確実に保持している。
【００７４】
圧入圧縮リング１６３はハウジング１の貫通孔１ｈ内に圧入されており、圧入圧縮リング１６３の外周面が全周にわたってハウジング１の貫通孔１ｈの内面に圧接している。圧入圧縮リング１６３は、貫通孔１ｈ内への圧入に伴い内方へ向かって弾性変形して内径が縮小しており、圧入圧縮リング１６３の内周面が全周にわたって絶縁筒部材１６２の外周面を押圧して圧接しているとともに、絶縁筒部材１６２の内周面が全周にわたって貫通ピン部材１６１の貫通部１６１１の外周面を押圧して圧接している。
【００７５】
貫通端子部１６のハウジング１の内部に位置する部分において、貫通ピン部材１６１にリード線１５１をカシメ固定した部位を被覆するように、例えばゴム材からなる絶縁ブーツ１６４が配設されている。具体的には、絶縁ブーツ１６４は、絶縁筒部材１６２の小外径部１６２ｃからリード線１５１の絶縁被膜が形成されている部分までを覆い、貫通ピン部材１６１やリード線１５１の絶縁被膜が除去された部分がハウジング１内に露出して冷媒やコンプレッサオイルに触れることを防止している。絶縁筒部材１６２および絶縁ブーツ１６４は、冷媒やコンプレッサオイルに耐性を有する材料により形成されている。
【００７６】
ここで、貫通端子部１６の製造方法およびハウジング１への装着方法について、図４に加え図５〜図８を用いて説明する。
【００７７】
まず、図５に示すよう位置関係となるように、図示を省略した金型内に、貫通ピン部材１６１と圧入圧縮リング１６３とを配設する。図示を省略した金型内には、絶縁筒部材１６２の形状に対応したキャビティ（製品部）が形成されている。
【００７８】
次に、図示を省略した金型のキャビティ内に、絶縁筒部材１６２となる樹脂材を溶融充填し、冷却固化させる。すなわち、貫通ピン部材１６１と圧入圧縮リング１６３とを予め金型内に配設して所謂インサート成形加工を行い、絶縁筒部材１６２を成形する。これにより、図６に示すように、貫通ピン部材１６１と圧入圧縮リング１６３と間に絶縁筒部材１６２が配設される。図５および図６に示す工程が、ピン部材と支持部材との間に絶縁部材をなす樹脂材をインサート成形により充填するインサート成形加工工程である。
【００７９】
貫通ピン部材１６１と圧入圧縮リング１６３と間に絶縁筒部材１６２を配設したら、図７に示すように、貫通ピン部材１６１の凹部１６１ｂ内にステータコイル１５から延びるリード線１５１の絶縁被膜を除去した端部を挿入してかしめ加工によりかしめ固定する。図７に示す工程が、モータリード線接続工程である。
【００８０】
貫通ピン部材１６１の端部にリード線１５１を接続したら、図８に示すように、接続部を覆うように絶縁ブーツ１６４を装着する。なお、図７に示すかしめ加工を行う際には、絶縁ブーツ１６４は、既にリード線１５１を挿通した状態となっている。ここで、ゴム製の絶縁ブーツ１６４に代えて熱収縮チューブ等を絶縁被覆部材として採用することも可能である。図８に示す工程が、リード線接続部被覆工程である。
【００８１】
図８に示す貫通端子部１６の製造が完了したら、図４に示すように、貫通端子部１６をハウジング１の貫通孔１ｈ内に圧入してハウジング１に装着する。ハウジング１に装着する前の貫通端子部１６は、圧入圧縮リング１６３の外径がハウジング１の貫通孔１ｈの内径よりも若干大きくなっている。ハウジング１の内方から貫通端子部１６を（具体的には圧入圧縮リング１６３を）貫通孔１ｈ内に圧入すると、圧入圧縮リング１６３は、外周面が貫通孔１ｈの内面に倣うように弾性変形する。
【００８２】
これに伴い、圧入圧縮リング１６３の外周面が全周にわたってハウジング１の貫通孔１ｈの内面に圧接する。また、圧入圧縮リング１６３は、圧入による弾性変形に伴って縮径する（内径が縮小する）。圧入圧縮リング１６３の圧入に伴う縮径により、貫通ピン部材１６１の貫通部１６１１と圧入圧縮リング１６３との間で絶縁筒部材１６２が径方向に圧縮され、圧入圧縮リング１６３の内周面が全周にわたって絶縁筒部材１６２の外周面を押圧し、圧入圧縮リング１６３の内周面と絶縁筒部材１６２の外周面とが圧接状態となる。
【００８３】
また、縮径した圧入圧縮リング１６３によって内方に押し込まれた絶縁筒部材１６２により、絶縁筒部材１６２の内周面が全周にわたって貫通ピン部材１６１の貫通部１６１１の外周面を押圧し、絶縁筒部材１６２の内周面と貫通ピン部材１６１の外周面とが圧接状態となる。図８に示す貫通端子部１６を図４に示すようにハウジング１に装着する工程が、圧入装着工程である。
【００８４】
ここで、貫通端子部１６のハウジング１へ圧入装着工程を含む、電動圧縮機１００の組立方法について、図２に加え図９〜図１３を用いて簡単に説明する。
【００８５】
まず、図９に示すように、ハウジング１の本体部を準備し加熱する。ハウジング１の本体部は、所謂モータケースを含む部分であって、冷媒吐出口１ｂが形成された壁部を除いた略有底筒状体をなしている。
【００８６】
図９に示すハウジング１を加熱したら、図示下方端の開口部から、ハウジング１内にステータを挿設し、ハウジング１を冷却して、図１０に示すようにステータをハウジング１内に固定する。図９および図１０に示す工程が、ステータ固定工程（ステータ焼きばめ工程）である。
【００８７】
図１０に示すように、ハウジング１に対して固定されたステータ（ステータコア１４およびステータコイル１５からなる構成）には、ステータコイル１５から延びるリード線１５１を介して貫通端子部１６が接続されている（前述したリード線接続部被覆工程までが完了している）。
【００８８】
ステータをハウジング１内に固定したら、図１１に示すように、ハウジング１の天井部１ｄに形成された貫通孔１ｈに、貫通端子部１６をハウジング１内方から装着する。図１１に示す工程が、前述した圧入装着工程である。
【００８９】
前述したが、図１１にも示すように、貫通孔１ｈは、ハウジング１の天井部１ｄうち、軸線方向からみたときに、軸受部の一部である円筒壁部１ｅの外周面１ｆと、ステータの一部であるステータコア１４の内周面１４ａとの間の領域に形成されている。したがって、ステータの内方のスペースを利用して（例えば、ステータの内方のスペースに治具等を挿入して）、ハウジング１の天井部１ｄに形成された貫通孔１ｈに、貫通端子部１６をハウジング１内方から容易に装着することができる。
【００９０】
図１１に示す圧入装着工程を完了したら、図１２に示すように、軸受け１２ａ、１２ｂ、および、回転軸１２が一体となったロータ１３を、ハウジング１内に組み付ける。図１２に示す工程が、ロータ組付工程である。
【００９１】
図１２に示すロータ組付工程を完了したら、図１３に示すように、圧縮機構３０を装着して、ハウジング１本体部の開口端を閉塞し、ハウジング１内に圧縮機構３０を収納する。図１３に示す工程が、圧縮機構組付工程である。
【００９２】
図１３に示す圧縮機構組付工程を完了したら、図２に示すように、インバータ回路２０およびインバータカバー４０を装着して、電動圧縮機１００の組み立てを完了する。図１３に示す組立体に、図２に示すようにインバータ回路２０およびインバータカバー４０を取り付ける工程が、インバータ組付工程である。
【００９３】
上述の構成および製造方法によれば、貫通ピン部材１６１の略円柱状の貫通部１６１１と略円筒状の圧入圧縮リング１６３との間に樹脂材からなる略円筒状の絶縁筒部材１６２を介設した簡単な構成の貫通端子部１６を、ハウジング１の貫通孔１ｈ内に圧入することで、圧入圧縮リング１６３の外周面を全周にわたってハウジング１の貫通孔１ｈの内面に圧接して圧入圧縮リング１６３とハウジング１との間を気密シールするとともに、圧入圧縮リング１６３を圧入に伴い縮径させて絶縁筒部材１６２を径方向に圧縮し、貫通ピン部材１６１と圧入圧縮リング１６３との間を絶縁しつつ気密シールすることができる。したがって、比較的簡単な構造の貫通端子部１６により貫通端子部１６を小型化することができる。
【００９４】
また、圧入圧縮リング１６３と貫通ピン部材１６１との間を樹脂材からなる絶縁筒部材１６２で絶縁しつつ気密シールしており、ガラス材を封止に用いる必要がないので、貫通ピン部材１６１に、電気導電率が高い銅材もしくは銅合金材を用いることができ、貫通ピン部材１６１の径を小さくすることが可能である。
【００９５】
また、圧入圧縮リング１６３と貫通ピン部材１６１とを金型内に予め配設して行うインサート成形法により絶縁筒部材１６２を成形している。したがって、圧入圧縮リング１６３と貫通ピン部材１６１との間に樹脂材からなる筒状の絶縁筒部材１６２を介設した簡単な構成の貫通端子部１６を容易に形成することができる。
【００９６】
また、圧入圧縮リング１６３に内方に向かって突出した環状突出部１６３ｂ、１６３ｃを設けて絶縁筒部材１６２を内方に向かって押圧し、圧入圧縮リング１６３の環状突出部１６３ｂ、１６３ｃと絶縁筒部材１６２との間に比較的高い面圧を環状に発生させている。したがって、圧入圧縮リング１６３と絶縁筒部材１６２との間を確実に気密シールすることができる。
【００９７】
また、圧入圧縮リング１６３の上下両端近傍に環状突出部１６３ｂ、１６３ｃを設けることで、圧入圧縮リング１６３と貫通ピン部材１６１との間の絶縁筒部材１６２が軸線方向において外方へ移動し難くなっている。したがって、径方向に圧縮された絶縁筒部材１６２がクリープして貫通ピン部材１６１と圧入圧縮リング１６３との間のシール性が低下することを抑制することが可能である。
【００９８】
また、貫通ピン部材１６１の貫通部１６１１の外周面に環状に形成した環状溝１６１ａを複数設け、貫通ピン部材１６１の各環状溝１６１ａの両側角部と絶縁筒部材１６２との間に、比較的高い面圧を環状に発生させている。したがって、貫通ピン部材１６１と絶縁筒部材１６２との間を確実に気密シールすることができる。
【００９９】
また、貫通ピン部材１６１の延在部１６１２の端部から軸方向に延びる凹部１６１ｂを形成して、凹部１６１ｂ内にリード線１５１の端部を挿入してかしめ固定している。したがって、貫通ピン部材１６１の延在部１６１２の外周面よりも内側にステータコイル１５からのリード線１５１を固定できるので、貫通端子部１６を一層小型化することができる。リード線１５１の端部に接続端子をかしめ固定し、クラスタブロック内に組込み、貫通ピン部材１６１と接続するという方法を用いなくてもよいので、部品点数を低減し、工程も簡素化することができる。
【０１００】
また、貫通ピン部材１６１は、貫通孔１ｈの貫通方向に延びる貫通部１６１１と、貫通部１６１１のハウジング１の内方側の端部から貫通方向に直交する方向に延びる延在部１６１２とを有して、延在部１６１２の先端部にリード線１５１が接続している。すなわち、貫通ピン部材１６１は、ハウジング１内に配設される部位が略Ｌ字形状となっている。したがって、貫通ピン部材が直線状に形成されている場合よりも、モータ部１０の軸線方向においてハウジング１を小型化することが可能である。
【０１０１】
また、図２からも明らかなように、貫通ピン部材１６１の延在部１６１２は、貫通部１６１１のハウジングの内方側の端部から、モータ部１０の径外方向に向かって延びている。これにより、リード線１５１が接続する延在部１６１２の先端部を、ステータコイル１５に近接させることができる。したがって、ステータコイル１５から延びるリード線１５１を比較的短くすることができる。
【０１０２】
また、駆動回路部であるインバータ回路２０は、モータ部１０へ供給する供給電力を制御するパワー素子を絶縁基材中に内蔵した第１基板２１を備えており、第１基板２１は、ハウジング１の取付面１ｃに取り付けられ、ハウジング１内を流通する吸入冷媒で冷却されるようになっている。したがって、パワー素子の本体部を回路基板とは異なる層に配設してハウジングに押し付け冷却する必要がない。このようにして、パワー素子の冷却性を確保しつつインバータ回路２０の体格を小型化することができる。
【０１０３】
また、パワー素子の本体部を回路基板とは異なる層に配設してハウジングに押し付けパワー素子を冷却する場合には、回路基板の熱をハウジングに伝え難いが、本実施形態の構成によれば、第１基板２１からハウジング１に放熱することが可能であり、放熱性を向上することができる。
【０１０４】
また、インバータ回路２０は、素子内蔵回路基板である第１基板２１と非素子内蔵回路基板である第１基板２２とを電気的に接続して構成している。したがって、インバータ回路２０を構成する基板の一部を比較的安価な非素子内蔵回路基板として、インバータ回路２０を比較的安価に構成することができる。
【０１０５】
また、第２基板２２には、第１基板２１が積層配置された領域に開口２２ａが形成されており、この開口２２ａ内において第１基板２１の表面に回路素子が実装されている。このように、パワー素子や他の回路素子を所謂３次元配置することで、第１基板２１の実装密度を向上して配線長さを比較的短くすることが可能である。これに伴い、内蔵されたパワー素子および開口２２ａ内に実装された回路素子を含む閉ループ回路を形成したときの配線インダクタンスを低減でき、パワー素子のスイッチング動作時に発生するサージ電圧を低減してノイズの発生を抑制することができるとともに、損失を低減することができる。
【０１０６】
（他の実施形態）
以上、本発明の好ましい実施形態について説明したが、本発明は上述した実施形態に何ら制限されることなく、本発明の主旨を逸脱しない範囲において種々変形して実施することが可能である。
【０１０７】
上記実施形態では、貫通端子部１６の貫通ピン部材１６１は、貫通孔１ｆの貫通方向に延びる貫通部１６１１と貫通部１６１１に直交する方向に延びる延在部１６１２とからなる略Ｌ字形状をなして、延在部１６１２の先端部がハウジング１およびモータ部１０の径外方向を向いていたが、これに限定されるものではない。例えば、延在部１６１２がハウジング１およびモータ部１０の径外方向以外に（例えば略周方向に）延びるものであってもよい。
【０１０８】
また、上記実施形態では、貫通端子部１６の貫通ピン部材１６１は、貫通孔１ｆの貫通方向に延びる貫通部１６１１と貫通部１６１１に直交する方向に延びる延在部１６１２とからなる略Ｌ字形状をなしていたが、これに限定されるものではない。例えば、貫通ピン部材１６１は、貫通孔１ｆの貫通方向に延びる貫通部１６１１と貫通部１６１１に直交以外の角度で交差する方向に延びる延在部１６１２とからなるものであってもよい。また、貫通ピン部材１６１は、延在部１６１２を有する屈曲形状に限定されず、延在部を有さず直線状に延びるものであってもよい。
【０１０９】
また、上記実施形態では、貫通端子部１６は、貫通ピン部材１６１と圧入圧縮リング１６３との間にインサート成形により樹脂材を充填して絶縁筒部材１６２を配設していたが、これに限定されるものではない。例えば、絶縁筒部材１６２を貫通ピン部材１６１や圧入圧縮リング１６３とは別体で成形して組み合わせるものであってもよい。
【０１１０】
また、上記実施形態では、貫通ピン部材１６１の貫通部１６１１の外周面に環状溝１６１ａを設けていたが、これに限定されるものではない。例えば、外周面に環状の凸部を設けるものであってもよいし、環状溝と環状凸部の両者を設けるものであってもよい。
【０１１１】
また、上記実施形態では、貫通ピン部材１６１を銅材もしくは銅合金材で形成していたが、これに限定されるものではなく、例えば、アルミニウム材もしくはアルミニウム合金材等により形成することもできる。
【０１１２】
また、上記実施形態では、貫通端子部１６の貫通ピン部材１６１は、インバータ回路２０の第２基板２２に接続していたが、これに限定されるものではなく、第１基板２１に接続するものであってもよい。また、貫通ピン部材１６１は、第１基板２１や第２基板２２の導体パターン等に直接接続するものに限定されず、例えば、インバータ回路２０から延びるリード線等を介して、インバータ回路２０に電気的に接続するものであってもよい。
【０１１３】
また、上記実施形態では、第２基板２２に開口２２ａを設けていたが、これに限定されるものではなく、例えば、開口を有しない第２基板２２を採用してもかまわない。
【０１１４】
また、上記実施形態では、第１基板２１と第２基板２２とを積層配置してインバータ回路２０を構成していたが、これに限定されるものではない。例えば、第１基板２１と第２基板２２とを、いずれもハウジング１の取付面１ｃに沿うように並置して、相互に電気的に接続するものであってもよい。
【０１１５】
また、上記実施形態では、駆動回路部であるインバータ回路２０を、第１基板２１および第２基板２２の２枚の基板で構成していたが、これに限定されるものではない。インバータ回路２０は、３枚以上の基板で構成してもよいし、パワー素子２１４を内蔵した１枚の回路基板で構成してもよい。また、インバータ回路２０は、非素子内蔵基板のみで構成してもかまわない。
【０１１６】
また、上記実施形態では、駆動回路部であるインバータ回路２０は、モータ部１０の軸線方向（モータ部１０と圧縮機構３０とが並んだ方向）における反圧縮機構側の面（図２図示上方側の面）にインバータ回路２０が取り付けられ、貫通端子部１６は、ハウジング１の天井部１ｄに設けた貫通孔１ｈに配設されていたが（所謂インラインタイプの電動圧縮機であったが）、これに限定されるものではなく、インバータ回路２０はハウジング１の外面のうち内部を吸入冷媒が流通する部位に形成された取付面に取り付けられるものであればよい。例えば、インバータ回路２０をモータ部１０の軸線方向にほぼ平行なハウジング１の側面部に取り付け、貫通端子部１６は、ハウジング１の側面部の貫通孔１ｈに配設するもの（所謂キャメルバックタイプの電動圧縮機）であってもよい。
【符号の説明】
【０１１７】
１  ハウジング
１ｄ  天井部（壁面部）
１ｅ  円筒壁部（軸受部の一部）
１ｆ  外周面（軸受部の外周面）
１ｈ  貫通孔
１０  モータ部（モータ）
１２  回転軸
１２ａ  軸受け（軸受部の一部）
１３  ロータ
１４  ステータコア（ステータの一部）
１４ａ  内周面（ステータの内周面）
１５  ステータコイル（ステータの一部）
１６  貫通端子部
２０  インバータ回路（駆動回路部）
３０  圧縮機構
１５１  リード線
１６１  貫通ピン部材（ピン部材）
１６１ａ  環状溝（環状凹部）
１６２  絶縁筒部材（絶縁部材）
１６３  圧入圧縮リング（支持部材）
１６３ｂ、１６３ｃ  環状突出部
１６１１  貫通部
１６１２  延在部
【図１】
2012112354.tif 000003
【図２】
2012112354.tif 000004
【図３】
2012112354.tif 000005
【図４】
2012112354.tif 000006
【図５】
2012112354.tif 000007
【図６】
2012112354.tif 000008
【図７】
2012112354.tif 000009
【図８】
2012112354.tif 000010
【図９】
2012112354.tif 000011
【図１０】
2012112354.tif 000012
【図１１】
2012112354.tif 000013
【図１２】
2012112354.tif 000014
【図１３】
2012112354.tif 000015